(57)【要約】  撮像画像の取り扱いが簡便となり、ユーザに新たな楽しみを与えることができ、且つ撮像した場面を鮮明に記録することができるプリンタ付き撮像装置、プリンタ付き撮像装置の操作方法、およびプログラムを提供する。プリンタ付き撮像装置は、被写体の撮像画像を取得する撮像部２と、被写体が発する音または被写体の周囲の音に基づいて、文字を生成する文字生成部と、撮像部で取得される撮像画像と文字生成部で生成された文字とを印刷するプリント部であって、撮像画像と文字との組み写真を印刷するプリント部と、プリント部に組み写真の印刷を行わせるプリント制御部と、を備える。
2018235312.tif 000002
【特許請求の範囲】
【請求項１】
被写体の撮像画像を取得する撮像部と、
前記被写体が発する音または前記被写体の周囲の音に基づいて、文字を生成する文字生成部と、
前記撮像部で取得される前記撮像画像と前記文字生成部で生成された前記文字とを印刷するプリント部であって、前記撮像画像と前記文字との組み写真を印刷するプリント部と、
前記プリント部に前記組み写真の印刷を行わせるプリント制御部と、
を備えるプリンタ付き撮像装置。
【請求項２】
前記プリント制御部は、前記プリント部に前記撮像画像と前記文字とをそれぞれ別ページに印刷させる請求項１に記載のプリンタ付き撮像装置。
【請求項３】
前記プリント制御部は、前記プリント部に前記撮像画像と前記文字とを同じページに印刷させる請求項１に記載のプリンタ付き撮像装置。
【請求項４】
前記プリント制御部は、前記プリント部に複数の前記組み写真を印刷させる請求項１から３のいずれか１項に記載のプリンタ付き撮像装置。
【請求項５】
前記被写体が発する前記音または前記被写体の周囲の前記音を取得する集音部を備え、
前記文字生成部は、前記集音部が取得した前記音に基づいて、前記文字を生成する請求項１から４のいずれか１項に記載のプリンタ付き撮像装置。
【請求項６】
前記撮像部で取得された前記撮像画像の画像解析を行う画像解析部を備え、
前記文字生成部は、前記画像解析部の前記画像解析の結果に基づいて、前記文字を生成する請求項１から５のいずれか１項に記載のプリンタ付き撮像装置。
【請求項７】
前記文字生成部は、前記画像解析部の画像解析結果に基づいて、生成する前記文字の文字サイズまたは文字の種類を決定し生成する請求項６に記載のプリンタ付き撮像装置。
【請求項８】
前記撮像部で撮像された前記撮像画像および前記文字生成部で生成された前記文字を記憶する記憶部を備え、
前記プリント制御部は、前記記憶部に記憶された前記撮像画像および前記文字を前記プリント部に印刷を行わせる請求項１から７のいずれか１項に記載のプリンタ付き撮像装置。
【請求項９】
前記プリンタ付き撮像装置の筐体に設けられる表示部と、
前記文字生成部で生成された前記文字を前記表示部に表示させる表示制御部と、を備え、
前記プリント制御部は、前記プリント部に前記表示部に表示された前記文字と前記撮像画像との前記組み写真を印刷させる請求項１から８のいずれか１項に記載のプリンタ付き撮像装置。
【請求項１０】
前記表示制御部は、前記文字生成部で生成された前記文字により構成されるアニメーションを前記表示部に表示させる請求項９に記載のプリンタ付き撮像装置。
【請求項１１】
前記表示制御部は、前記プリント部のプリント動作に応じて、前記表示部に表示させる前記文字を移動させる前記アニメーションを表示させる請求項１０に記載のプリンタ付き撮像装置。
【請求項１２】
前記表示制御部は、前記プリント部から排出される印刷物の排出方向に、前記文字を移動させ、前記文字の前記印刷物の排出に応じて消滅させる請求項１１に記載のプリンタ付き撮像装置。
【請求項１３】
前記文字生成部で生成される前記文字のうち前記プリント部で印刷される前記文字を選択する印刷文字選択部を備え、
前記プリント部は、前記印刷文字選択部で前記選択された前記文字を印刷する請求項９から１２のいずれか１項に記載のプリンタ付き撮像装置。
【請求項１４】
前記表示制御部は、前記文字を前記プリント部の印刷物の排出方向と垂直な方向に移動させ、前記印刷文字選択部で前記選択された前記文字のみ、前記印刷物の排出方向に移動させる請求項１３に記載のプリンタ付き撮像装置。
【請求項１５】
前記表示部は、少なくとも前記筐体の前面に設けられている請求項９から１４のいずれか１項に記載のプリンタ付き撮像装置。
【請求項１６】
前記撮像部は、前記プリント部が印刷動作を行っている場合には、前記撮像画像の取得を停止する請求項１から１５のいずれか１項に記載のプリンタ付き撮像装置。
【請求項１７】
被写体の撮像画像を取得する撮像ステップと、
前記被写体が発する音または前記被写体の周囲の音に基づいて、文字を生成する文字生成ステップと、
前記撮像ステップで取得される前記撮像画像と前記文字生成ステップで生成された前記文字とを印刷するプリント部であって、前記撮像画像と前記文字との組み写真を印刷するプリント部に前記組み写真の印刷を行わせるプリント制御ステップと、
を含むプリンタ付き撮像装置の操作方法。
【請求項１８】
被写体の撮像画像を取得する撮像ステップと、
前記被写体が発する音または前記被写体の周囲の音に基づいて、文字を生成する文字生成ステップと、
前記撮像ステップで取得される前記撮像画像と前記文字生成ステップで生成された前記文字とを印刷するプリント部であって、前記撮像画像と前記文字との組み写真を印刷するプリント部に前記組み写真の印刷を行わせるプリント制御ステップと、
をプリンタ付き撮像装置のコンピュータに実行させるプログラム。
【請求項１９】
被写体の撮像画像を取得する撮像ステップと、
前記被写体が発する音または前記被写体の周囲の音に基づいて、文字を生成する文字生成ステップと、
前記撮像ステップで取得される前記撮像画像と前記文字生成ステップで生成された前記文字とを印刷するプリント部であって、前記撮像画像と前記文字との組み写真を印刷するプリント部に前記組み写真の印刷を行わせるプリント制御ステップと、
をプリンタ付き撮像装置のコンピュータに実行させるプログラムが格納されたコンピュータ読取可能な非一時的記録媒体。
【発明の詳細な説明】
【技術分野】
【０００１】
本発明は、プリンタ付き撮像装置、プリンタ付き撮像装置の操作方法、プログラム、および記録媒体に関し、特にプリンタ付き撮像装置に設けられたプリンタで撮像画像と文字とで構成される組み写真の印刷を行う技術に関する。
【背景技術】
【０００２】
従来より、撮像装置とプリンタが一体に設けられ、撮像装置で取得された撮像画像を一体に設けられたプリンタで印刷することができるプリンタ付き撮像装置（プリンタ付きカメラ）が知られている。【０００３】
例えば、特許文献１には撮像素子で撮像された画像を、現像処理液を内蔵したインスタントフイルムにプリントすることが可能な、プリンタ付き撮像装置が記載されている。【０００４】
また従来より、撮像画像とその撮像画像に関連する文字とを組み合わせた表現形態が知られている。【０００５】
例えば、特許文献２には、画像と文字とを組み合わせて表示パネルに表示する再生装置が記載されている。具体的には、音声データを解析し、その解析結果に基づいて、人の声であると分類された場合には音声認識を行ってテキストデータに変換し、人の声以外の音であると分類された場合には擬音テキストデータベースの中から該当する擬音を選択して、その画像と共に表示する表示装置が記載されている。
【先行技術文献】
【特許文献】
【０００６】
【特許文献１】特開２００１−２６８４２２号公報
【特許文献２】特開２０１４−１７９９４３号公報
【発明の概要】
【発明が解決しようとする課題】
【０００７】
ここで、人は画像を見ることにより、ある場面（シーン）を思い出したりある場面を連想したりするが、画像とその画像に関連した文字が組み合わされることにより、人はより鮮明にある場面を思い出したり、ある場面を連想することができるようになる場合がある。すなわち、画像と文字とを使用して表現を行うことにより、表現の幅を広げることが可能となる。【０００８】
さらに、撮像画像を表示部に表示させて確認するだけでなく、撮像画像を印刷して印刷物として取得することにより、撮像画像の保存がより簡便になる。また、撮像画像を複数人で共有する場合には、その場で撮像画像を複数枚印刷することにより簡便に撮像画像を共有することが可能となる。さらに、昨今ではデジタルカメラで取得された撮影画像は表示部に表示するだけで印刷物として取得する機会が減っていることを鑑みると、取得した撮影画像を印刷物として手にすることは、ユーザにとって新たな楽しみを与えることができる。【０００９】
特許文献１に記載されたプリンタ付き撮像装置は、撮像素子で撮像された画像のみが印刷されるだけであり、撮像画像と文字とで構成される組み写真が印刷されていない。【００１０】
特許文献２に記載された表示装置は、表示パネルに画像等を表示させるものであり、印刷物を提供するものではない。【００１１】
本発明はこのような事情に鑑みてなされたもので、その目的は、撮像画像の取り扱いが簡便となり、ユーザに新たな楽しみを与えることができ、且つ撮像した場面を鮮明に記録することができるプリンタ付き撮像装置、プリンタ付き撮像装置の操作方法、およびプログラムを提供することである。
【課題を解決するための手段】
【００１２】
上記目的を達成するために、本発明の一の態様であるプリンタ付き撮像装置は、被写体の撮像画像を取得する撮像部と、被写体が発する音または被写体の周囲の音に基づいて、文字を生成する文字生成部と、撮像部で取得される撮像画像と文字生成部で生成された文字とを印刷するプリント部であって、撮像画像と文字との組み写真を印刷するプリント部と、プリント部に組み写真の印刷を行わせるプリント制御部と、を備える。【００１３】
本態様によれば、撮像部により被写体の撮像画像が取得され、文字生成部により被写体が発する音または被写体の周囲の音に基づいて文字が生成され、その撮像画像と撮像画像に関連する文字とに構成された組み写真が印刷される。また、本態様によればプリント部およびプリント制御部が備えられているので、取得された撮像画像は、その場で印刷され印刷物として取得される。これにより本態様は、撮像した場面を鮮明に記録することができ、撮像画像の取り扱いが簡便となり、ユーザに新たな楽しみを与えることができる。【００１４】
好ましくは、プリント制御部は、プリント部に撮像画像と文字とをそれぞれ別ページに印刷させる。【００１５】
本態様によれば、プリント制御部は、プリント部に撮像画像と文字とをそれぞれ別ページに印刷させるので、撮像画像と文字とが別ページに印刷される表現形態の印刷物を取得することができ、表現の幅を広げることが可能となる。【００１６】
好ましくは、プリント制御部は、プリント部に撮像画像と文字とを同じページに印刷させる。【００１７】
本態様によれば、プリント制御部は、プリント部に撮像画像と文字とを同じページに印刷させるので、撮像画像と文字とが同じページに印刷される表現形態の印刷物を取得することができ、表現の幅を広げることが可能となる。【００１８】
好ましくは、プリント制御部は、プリント部に複数の組み写真を印刷させる。【００１９】
本態様によれば、プリント制御部は、プリント部に複数の組み写真を印刷させる。これにより本態様は、複数の組み写真による表現形態の印刷物を取得することができる。【００２０】
好ましくは、被写体が発する音または被写体の周囲の音を取得する集音部を備え、文字生成部は、集音部が取得した音に基づいて、文字を生成する。【００２１】
本態様によれば、集音部により、被写体が発する音または被写体の周囲の音が取得され、文字生成部により、集音部が取得した音に基づいて、文字が生成される。これにより本態様は、精度よく撮像画像に関連する音を集音することができ、撮像画像に関連した文字を正確に生成することが可能となる。【００２２】
好ましくは、撮像部で取得された撮像画像の画像解析を行う画像解析部を備え、文字生成部は、画像解析部の画像解析の結果に基づいて、文字を生成する。【００２３】
本態様によれば、画像解析部により、撮像部で取得された撮像画像の画像解析が行われ、文字生成部により、画像解析部の画像解析の結果に基づいて、文字が生成される。これにより本態様は、撮像画像の画像解析の結果に基づいて生成された文字を含む組み写真の印刷物を取得することができるので、より表現の幅が広がった組み写真の印刷物を取得することができる。【００２４】
好ましくは、文字生成部は、画像解析部の画像解析結果に基づいて、生成する文字の文字サイズまたは文字の種類を決定し生成する。【００２５】
本態様によれば、文字生成部により撮像画像の画像解析結果に基づいて、文字サイズまたは文字の種類が決定されるので、様々な文字サイズまたは様々な文字の種類の文字が生成されることになり、表現の幅が広がった組み写真の印刷物を取得することができる。【００２６】
好ましくは、撮像部で撮像された撮像画像および文字生成部で生成された文字を記憶する記憶部を備え、プリント制御部は、記憶部に記憶された撮像画像および文字をプリント部に印刷を行わせる。【００２７】
本態様によれば、記憶部により、撮像部で撮像された撮像画像および文字生成部で生成された文字が記憶され、プリント制御部により、記憶部に記憶された撮像画像および文字をプリント部に印刷を行わせる。これにより本態様は、記憶部に記憶させた組み写真を一定の時間の経過後に印刷させることが可能であり、また記憶部に記憶させた複数の組み写真を一度に印刷することが可能となる。【００２８】
好ましくは、プリンタ付き撮像装置の筐体に設けられる表示部と、文字生成部で生成された文字を表示部に表示させる表示制御部と、を備え、プリント制御部は、プリント部に表示部に表示された文字と撮像画像との組み写真を印刷させる。【００２９】
本態様によれば、表示制御部により文字生成部で生成された文字が表示部に表示されるので、撮像装置の意匠性が向上する。また本態様によれば、プリント制御部により表示部に表示された文字と撮像画像との組み写真が印刷される。これにより本態様は、撮像装置の筐体に文字が表示され、表示された文字が印刷物として取得することができるので、ユーザに新たな楽しみを与えることができる。【００３０】
好ましくは、表示制御部は、文字生成部で生成された文字により構成されるアニメーションを表示部に表示させる。【００３１】
本態様によれば、表示制御部により、文字生成部で生成された文字により構成されるアニメーションを表示部に表示させるので、意匠性が向上し、またユーザに新たな楽しみを与えることができる。【００３２】
好ましくは、表示制御部は、プリント部のプリント動作に応じて、表示部に表示させる文字を移動させるアニメーションを表示させる。【００３３】
本態様によれば、表示制御部により、プリント部のプリント動作に応じて、表示部に表示させる文字を移動させるアニメーションが表示されるので、意匠性を向上させ、またユーザに新たな楽しみを与えることができる。【００３４】
好ましくは、表示制御部は、プリント部から排出される印刷物の排出方向に、文字を移動させ、文字の印刷物の排出に応じて消滅させる。【００３５】
本態様によれば、表示制御部により、プリント部から排出される印刷物の排出方向に、文字を移動させ、文字の印刷物の排出に応じて消滅させる。これにより本態様は、表示部に表示された文字が印刷物に写し取られたようになり、表示部の表示と印刷とが連動するので、意匠性が向上し、ユーザに新たな楽しみを提供することができる。【００３６】
好ましくは、文字生成部で生成される文字のうちプリント部で印刷される文字を選択する印刷文字選択部を備え、プリント部は、印刷文字選択部で選択された文字を印刷する。【００３７】
本態様によれば、印刷文字選択部により、文字生成部で生成される文字のうちプリント部で印刷される文字が選択される。これにより本態様は、文字生成部で生成された文字のうち組み写真を形成するのに適した文字を選択して、組み写真を形成することができる。【００３８】
好ましくは、表示制御部は、文字をプリント部の印刷物の排出方向と垂直な方向に移動させ、印刷文字選択部で選択された文字のみ、印刷物の排出方向に移動させる。【００３９】
本態様によれば、表示制御部により、文字をプリント部の印刷物の排出方向と垂直な方向に移動させ、印刷文字選択部で選択された文字のみ、印刷物の排出方向に移動させる。これにより本態様は、意匠性を向上させ、ユーザに新たな楽しみを与えることができる。【００４０】
好ましくは、表示部は、少なくとも筐体の前面に設けられている。【００４１】
本態様によれば、表示部が少なくとも筐体の前面に設けられているので、筐体の前面の意匠性が向上する。【００４２】
好ましくは、撮像部は、プリント部が印刷動作を行っている場合には、撮像画像の取得を停止する。【００４３】
本態様によれば、撮像部は、プリント部が印刷動作を行っている場合には、撮像画像の取得を停止するので、誤作動を防止することができる。【００４４】
本発明の他の態様であるプリンタ付き撮像装置の操作方法は、被写体の撮像画像を取得する撮像ステップと、被写体が発する音または被写体の周囲の音に基づいて、文字を生成する文字生成ステップと、撮像ステップで取得される撮像画像と文字生成ステップで生成された文字とを印刷するプリント部であって、撮像画像と文字との組み写真を印刷するプリント部に組み写真の印刷を行わせるプリント制御ステップと、を含む。【００４５】
本発明の他の態様であるプログラムは、被写体の撮像画像を取得する撮像ステップと、被写体が発する音または被写体の周囲の音に基づいて、文字を生成する文字生成ステップと、撮像ステップで取得される撮像画像と文字生成ステップで生成された文字とを印刷するプリント部であって、撮像画像と文字との組み写真を印刷するプリント部に組み写真の印刷を行わせるプリント制御ステップと、をプリンタ付き撮像装置のコンピュータに実行させる。
【発明の効果】
【００４６】
本発明によれば、撮像部により被写体の撮像画像が取得され、文字生成部により被写体が発する音または被写体の周囲の音に基づいて文字が生成され、その撮像画像と撮像画像と関連する文字とに構成された組み写真が印刷されるので、撮像した場面を鮮明に記録することができる。また本発明によれば、プリント部およびプリント制御部が備えられ、取得された撮像画像は、その場で印刷され印刷物として取得されるので、撮像画像の取り扱いがより簡便となり、ユーザに新たな楽しみを与えることができる。
【図面の簡単な説明】
【００４７】
【図１】図１は本発明にかかるプリンタ付き撮像装置の実施形態を示す正面図である。
【図２】図２は図１に示したプリンタ付き撮像装置の左側面図である。
【図３】図３は図１に示したプリンタ付き撮像装置の右側面図である。
【図４】図４は図１に示したプリンタ付き撮像装置の背面図である。
【図５】図５は図１に示したプリンタ付き撮像装置の内部の概略構成を示すブロック図である。
【図６】図６は第１の実施形態の機能ブロック図である。
【図７】図７は印刷物の例を示す図である。
【図８】図８は印刷物の他の例を示す図である。
【図９】図９は撮像装置の操作方法を示すフローチャートである。
【図１０】図１０は第２の実施形態の機能ブロック図である。
【図１１】図１１は文字が印刷される動作を示すフローチャートである。
【図１２】図１２は表示部に表示された文字の例を示す図である。
【図１３】図１３は撮像画像が印刷される様子を示す図である。
【図１４】図１４はアニメーションに関して示す図である。
【図１５】図１５は印刷と同期して表示された文字が表示部から消滅する様子を示す図である。
【図１６】図１６は１つの組み写真の印刷が完了して、表示部に表示された文字も消滅することを示す図である。
【図１７】図１７は連続した複数の組み写真のプリントが排出される様子を示す図である。
【図１８】図１８はプリント用紙が搬送される様子を示した図である。
【図１９】図１９はプリント用紙が搬送される様子を示した図である。
【図２０】図２０はプリント用紙が搬送される様子を示した図である。
【図２１】図２１は図１に示したプリンタ付き撮像装置の正面図であり、特に英語の文字が装置本体に表示される様子を示す図である。
【図２２】図２２は図１７に示したプリントが排出される様子を示す図であり、特に画像と英語の文字とが組み合わされた複数の組み写真のプリントが排出される様子を示す図である。
【発明を実施するための形態】
【００４８】
以下、添付図面にしたがって本発明にかかるプリンタ付き撮像装置、プリンタ付き撮像装置の操作方法およびプログラムの好ましい実施の形態について説明する。
【００４９】
［プリンタ付き撮像装置の外観］
図１から図４は、それぞれ本発明にかかるプリンタ付き撮像装置の実施形態を示す正面図、左側面図、右側面図および背面図である。尚、図１及び図４は、文字を表す言語（文字言語）が日本語の場合に関して示している。
【００５０】
図１から図４に示すプリンタ付き撮像装置１は、レンズを通った光を撮像素子で受け、デジタル信号に変換して静止画または動画の画像データを取得し、取得した画像データを記憶部３０３（図６）に記録するデジタルカメラと、記憶部３０３（図６）に記憶された画像データに基づいてプリント用紙に画像等を印画するプリンタとが一体化されたものである。
【００５１】
プリンタ付き撮像装置１は、主として透明な筐体１ａ、撮像部２、マイク３、透明な表示部２２、シャッタレリーズスイッチ４、フラッシュ発光部６、第１内容物７、および第２内容物８等から構成されている。
【００５２】
透明な筐体１ａは、例えば、透明なアクリル樹脂により形成され、本例では直方体の外観を有するプリンタ付き撮像装置１と同様に直方体の形状を有している。また、筐体１ａの正面には、円柱状の凸部１ｂが形成されている。
【００５３】
撮像部２は、撮影レンズ１２、撮像素子およびこれらの駆動部を含み、例えばスマートフォン等の携帯端末に使用される小型の撮像モジュールに相当する。撮像部２の厚みは、筐体１ａの円柱状の凸部１ｂに収まる程度が好ましい。
【００５４】
マイク３は、被写体が発する音（音声）または被写体の周囲の音（環境音を含む）を集音する集音部として機能するもので、本例ではリング状の形状を有し、円形形状の撮像部２の周囲に配設されている。
【００５５】
透明な表示部２２は、撮像部２の撮像方向と直交する表示画面（プリンタ付き撮像装置１の正面または背面と平行な表示画面）を有しており、図２および図３の点線で示すように筐体１ａにそれぞれ間隔を空けて平行に配設された複数（３枚）の表示部２２ａ，２２ｂ，２２ｃから構成されている。透明な表示部２２としては、透明液晶ディスプレイ、透明無機ＥＬ（Electro-Luminescence）ディスプレイ、あるいは透明有機ＥＬディスプレイを使用することができる。
【００５６】
シャッタレリーズスイッチ４は、いわゆる「半押し」と「全押し」とからなる２段ストローク式のスイッチで構成され、撮影準備指示部として機能するとともに、画像の記録指示部として機能する。
【００５７】
フラッシュ発光部６は、キセノン管または白色ＬＥＤ（light emitting diode）を発光源とし、被写体が暗い場合にフラッシュ光を補助光として発光する部分である。
【００５８】
第１内容物７および第２内容物８は、筐体１ａ内に収納されるプリンタ付き撮像装置１を構成する部品群であって、上記の撮像部２、マイク３、表示部２２、シャッタレリーズスイッチ４、およびフラッシュ発光部６以外の部品群から構成されている。
【００５９】
第１内容物７は、主としてプリンタ付き撮像装置１のうちのデジタルカメラに対応する部品群からなり、図１上で筐体１ａの下部に収納され、第２内容物８は、主としてプリンタ付き撮像装置１のうちのプリント部３０１（プリンタ）（図６）に対応する部品群からなり、筐体１ａの上部に収納されている。なお、第１内容物７および第２内容物８の詳細については後述する。
【００６０】
また、第１内容物７と撮像部２およびマイク３との間は、配線２ａにより電気的に接続されている。同様に第１内容物７とシャッタレリーズスイッチ４、フラッシュ発光部６、および第２内容物８との間は、それぞれ配線４ａ、６ａおよび８ａにより電気的に接続されている。なお、これらの配線２ａ、４ａ、６ａおよび８ａの全部または一部は、透明導電材料を使用することで、透明にすることができる。
【００６１】
このプリンタ付き撮像装置１は、筐体１ａおよび表示部２２が透明であるため、撮像部２、マイク３、シャッタレリーズスイッチ４、フラッシュ発光部６、第１内容物７および第２内容物８が収納されている部分を除いて、接眼側から対物側にわたって透明である。即ち、プリンタ付き撮像装置１を介して反対側を透かして見ることができるようになっている。
【００６２】
ここで、撮像部２の撮像方向におけるプリンタ付き撮像装置１の投影面積（図１に表れる面積）のうちの半分以上の面積が接眼側から対物側にわたって透明であることが好ましい。また、筐体１ａの中央部分には、撮像部２を除いて内容物を収納しないようにすることが好ましい。本例では、第１内容物７および第２内容物８は、それぞれ筐体１ａの下部および上部に収納されている。
【００６３】
また、透明な筐体１ａには、撮像部２を中心にしたファインダ枠５が印刷や刻印等により設けられている。ファインダ枠５の大きさは、構図を決定するためにプリンタ付き撮像装置１を構えたときのプリンタ付き撮像装置１と顔との距離および撮像レンズの焦点距離により、ファインダ枠５を通して見える範囲が、撮像される範囲になるように決定することが好ましい。
【００６４】
このファインダ枠５によれば、ファインダ枠５の中心に撮像部２が位置するため、ファインダ枠５を通して見える視野の中心と、撮像部２により撮像される撮像範囲の中心が一致し、視差が発生することがない。
【００６５】
なお、本例のファインダ枠５は、撮像範囲を示す矩形の四隅に設けられたマーカにより構成されているが、ファインダ枠の形状はこの実施形態に限らず、種々の形状のものが適用できる。
【００６６】
図１から図４には図示されていないが、筐体１ａ内には、第１内容物７から第２内容物８にプリント用紙を搬送する際にプリント用紙を案内するガイド部が設けられている。ガイド部は、プリント用紙の幅および厚みに対応した隙間により構成することができるが、ガイドローラ等をさらに配置してもよい。
【００６７】
［プリンタ付き撮像装置の内部の概略構成］
図５は、図１等に示したプリンタ付き撮像装置１の内部の概略構成を示すブロック図である。
【００６８】
プリンタ付き撮像装置１は、前述したように撮像部２、マイク３、シャッタレリーズスイッチ４を含む操作部２４８、フラッシュ発光部６、第１内容物７、および第２内容物８を備えて構成されている。
【００６９】
〈撮像部〉
撮像部２は、撮影レンズ１２、撮影レンズ駆動部２１２、イメージセンサ４２、イメージセンサ駆動部２１４、およびアナログ信号処理部２１６から構成されている。
【００７０】
撮影レンズ１２は、フォーカスレンズを含む複数のレンズで構成される。なお、図５では簡略化して１枚のレンズのみを図示している。撮影レンズ１２は、撮影レンズ駆動部２１２によりフォーカスレンズを光軸に沿って前後移動させることで、焦点調節される。
【００７１】
撮影レンズ１２には、絞り１２ａおよびシャッタ１２ｂが備えられる。絞り１２ａによって撮影レンズ１２を通る光の光量が調整される。シャッタ１２ｂによって、撮影レンズ１２を通る光が遮光される。
【００７２】
イメージセンサ４２は、例えばＣＣＤイメージセンサ（CCD ： Charge Coupled Device）、ＣＭＯＳイメージセンサ（CMOS : Complementary Metal Oxide Semiconductor）等の二次元の固体撮像素子で構成される。
【００７３】
撮影レンズ駆動部２１２は、撮影レンズ１２の駆動手段である。撮影レンズ駆動部２１２は、フォーカスレンズを駆動し、絞り１２ａを駆動し、かつシャッタ１２ｂを駆動する。撮影レンズ駆動部２１２は、システムコントローラ２４０の制御の下、撮影レンズ１２を駆動する。
【００７４】
イメージセンサ駆動部２１４は、イメージセンサ４２の駆動手段である。イメージセンサ駆動部２１４は、システムコントローラ２４０の制御の下、イメージセンサ４２を駆動し、イメージセンサ４２から画像信号の読み出し制御を行う。また、イメージセンサ駆動部２１４は、システムコントローラ２４０からの電子シャッタ制御信号により、イメージセンサ４２の各画素に蓄積にされた電荷を同時に排出させて（一斉にリセットして）、露光を開始させる電子シャッタ機能を有する。
【００７５】
アナログ信号処理部２１６は、イメージセンサ４２で被写体を撮像して得られたアナログの画像信号に対して、各種のアナログ信号処理を施す。アナログ信号処理部２１６は、サンプリングホールド回路、色分離回路、ＡＧＣ（Automatic Gain Control）回路、Ａ／Ｄ（Analog/Digital）変換器等を含んで構成されている。ＡＧＣ回路は、撮像時の感度（ＩＳＯ感度(ＩＳＯ：International Organization for Standardization)）を調整する感度調整部として機能し、入力する画像信号を増幅する増幅器のゲインを調整し、画像信号の信号レベルが適切な範囲に入るようにする。
【００７６】
Ａ／Ｄ変換器は、アナログの画像信号をデジタルの画像信号に変換する。なお、イメージセンサ４２がＣＭＯＳ型イメージセンサである場合、Ａ／Ｄ変換器を含むアナログ信号処理部２１６は、ＣＭＯＳ型イメージセンサ内に内蔵されていることが多い。なお、撮像部２はプリント部３０１が印刷動作を行っている場合には、撮像画像の取得を停止してもよい。この場合撮像部２は、ライブビュー画像の撮像は継続している。
【００７７】
〈第１内容物〉
第１内容物７は、画像データ入力部２１８、デジタル信号処理部２２０、内部メモリ２２２、文字生成部２３０、プリント制御部２３２、システムコントローラ２４０、ワークメモリ２４２、データメモリ２４４、表示制御部２４６、マイク駆動部２４７、フラッシュ制御部２４９および電源部２５０を含んでいる。
【００７８】
画像データ入力部２１８は、システムコントローラ２４０の制御の下、アナログ信号処理部２１６から出力されるデジタルの画像信号を取り込む。取り込まれた１枚分の画像データは、ワークメモリ２４２に格納される。
【００７９】
システムコントローラ２４０は、プリンタ付き撮像装置１の全体を統括制御する制御部である。システムコントローラ２４０は、コンピュータで構成され、所定のプログラムを実行することにより、各種機能を提供する。
【００８０】
本実施形態のプリンタ付き撮像装置１は、システムコントローラ２４０が、画像解析部３０５（図１０）としての機能を備えるが、さらに文字生成部２３０、プリント制御部２３２、および表示制御部２４６としての機能を備えていてもよい。
【００８１】
デジタル信号処理部２２０は、ワークメモリ２４２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【００８２】
内部メモリ２２２は、画像記憶部の一例であり、撮像により得られた画像を記憶する。内部メモリ２２２は、たとえば、ＥＥＰＲＯＭ（ＥＥＰＲＯＭ：Electrically Erasable Programmable Read Only Memory）等の不揮発性メモリで構成される。
【００８３】
文字生成部２３０は、マイク３およびマイク駆動部２４７を介して取得された被写体等から発せられた音（音声）および被写体の周囲の音（環境音）を示す音データに基づいて音を文字に変換する部分である。音声は、その音声の言語に対応する文字に変換することが好ましい。環境音は、主に擬音語に変換される。
【００８４】
また、文字生成部２３０は、撮像部２により取得された撮像画像の画像解析を行う画像解析部３０５（図１０）における画像解析の結果に基づいて文字を生成する。例えば、画像解析部３０５は、撮像画像中のオブジェクト（バラの花、傘、マンホール、ランドマーク等）を抽出し、文字生成部２３０は、抽出されたオブジェクトを示す文字を生成する。また、画像解析部３０５は、撮像画像（動画を含む）からシーン（被写体がジャンプしている様子、強風、波しぶき等のシーン）を解析し、文字生成部２３０は、解析されたシーンを示す文字（擬態語）を生成する。
【００８５】
更に、システムコントローラ２４０が、言語選択部（図示せず）としての機能を備えることが好ましい。例えば、文字生成部２３０が音データに基づいて文字を生成する場合、言語選択部が音データの言語（音声言語）を自動判定して文字を表す言語（文字言語）を選択してもよい。また、例えば、言語選択部が、ユーザによる操作部２４８に含まれるメニューボタンの操作により、複数の言語（例えば、日本語、英語、スペイン語、ポルトガル語、フランス語、ドイツ語等）を含む言語選択メニューを表示部２２に表示させ、ユーザによる所望の言語を選択する操作に基づいて、文字言語を選択してもよい。この場合、文字生成部２３０は、言語選択部により選択された言語により、音データに基づく文字及び画像解析の結果に基づく文字を生成する。
【００８６】
プリント制御部２３２は、プリント部３０１により印刷させる撮像画像に基づくプリント用の画像データ、および文字生成部２３０により生成された文字に基づくプリント用の画像データを生成し、生成したプリント用の画像データをプリント部３０１に出力し、画像と文字とが組み合わされた組み写真の印刷を行わせる。なお、組み写真の印刷の詳細については後述する。
【００８７】
ワークメモリ２４２は、作業用のメモリである。ワークメモリ２４２は、例えば、ＳＤＲＡＭ（SDRAM : Synchronous Dynamic Random Access Memory）等で構成される。データメモリ２４４は、制御用のプログラム、制御に必要な各種データ等を記憶するメモリである。データメモリ２４４は、ＥＥＰＲＯＭ等の不揮発性メモリで構成される。
【００８８】
表示制御部２４６は、文字生成部２３０により生成された文字に基づいて、表示部２２（２２ａ，２２ｂ，２２ｃ）に文字を表示させる表示用データを生成する部分であり、特に文字により構成されたアニメーション（文字が移動するアニメーション）を示す表示用データを生成する。例えば、文字生成部２３０により生成された文字が、表示部２２の表示画面の一端から他端に向かって移動するアニメーションを示す表示用データを生成する。
【００８９】
このアニメーションを示す表示用データを表示部２２に出力することにより、文字が流れるアニメーションを表示部２２に表示させることができる。
【００９０】
なお、本例の表示制御部２４６は、文字生成部２３０により生成された文字を表示部２２に表示させるが、さらにプリントイメージを事前に確認できるように、プリント部３０１にプリント出力されるプリント用の画像を表示部２２に表示させることが好ましい。
【００９１】
また、本例では、透明な筐体１ａにファインダ枠５を設けるようにしたが、表示制御部２４６が、表示部２２にファインダ枠５と同様なファインダ枠を表示させるようにしてもよい。
【００９２】
マイク駆動部２４７は、マイク３により集音された音声あるいは環境音を示す音声信号を増幅し、デジタル信号に変換して文字生成部２３０に送出する。
【００９３】
フラッシュ制御部２４９は、例えば、ＴＴＬ（Through The Lens)自動調光方式のフラッシュ制御を行うもので、フラッシュ発光部６から発光するフラッシュ光の発光量（ガイドナンバー）を調整する機能を有する。即ち、フラッシュ制御部２４９は、システムコントローラ２４０からのフラッシュ撮像指示に同期してフラッシュ発光部６を発光させ、撮影レンズ１２を介して入射する反射光（周囲光を含む）の測光を開始し、測光値が標準露出値に達すると、フラッシュ発光部６からのフラッシュ光の発光を停止させる。
【００９４】
電源部２５０は、システムコントローラ２４０の制御の下、各部に電源を供給する。電源部２５０は、電源としてのバッテリーおよび電源回路を備える。
【００９５】
操作部２４８は、シャッタレリーズスイッチ４を含むが、その他、メニューボタン、コマンドダイヤル、およびマルチファンクションの十字キー、電源ボタン等を含んでいてもよい。また、操作部２４８は、筐体１ａの背面に配設される透明なタッチパネルと各種のスイッチを示すアイコンを表示する表示部２２とにより構成してもよい。
【００９６】
〈第２内容物〉
第２内容物８は、主としてプリンタ付き撮像装置１のうちのプリント部３０１に対応する部分であり、プリント用紙搬送機構５４、プリントヘッド５６、プリント用紙搬送機構駆動部２３４、およびプリントヘッド駆動部２３６を含んでいる。
【００９７】
本例のプリント部３０１は、例えば、印画方式としてＴＡ（サーモオートクローム）方式を採用したＴＡプリンタであり、シアン（Ｃ）、マゼンタ（Ｍ）、イエロー（Ｙ）の各発色層を有するＴＡペーパー（以下、「プリント用紙」という）自体を熱で発色させ、所定の波長の光の照射で定着するものであり、プリント用紙を搬送するプリント用紙搬送機構５４およびプリント用紙搬送機構駆動部２３４、サーマルヘッドとして機能するプリントヘッド５６、プリントヘッド駆動部２３６、および定着ランプ等を有している。
【００９８】
カラーの撮像画像をプリント用紙に印画する場合には、プリント制御部２３２は、撮像画像に基づくプリント用の画像データとして、３原色の補色のＣ、Ｍ、Ｙの信号（Ｃ信号、Ｍ信号、Ｙ信号）を生成する。そして、プリント用紙を搬送するとともに、Ｙ信号に基づいてプリントヘッド５６を制御し、プリント用紙のイエロー層を発色させ、続いて定着ランプによってイエローの発色を定着させる。プリント用紙のマゼンタ層およびシアン層の発色もＭ信号、Ｃ信号に基づいて同様に行われ、これによりプリント用紙にカラーの撮像画像を印画する。
【００９９】
プリント用紙は、図示しないカートリッジ内にロール状に巻回されて収納された長尺のプリント媒体であり、カートリッジが第１内容物７の一部として筐体１ａ内に収納されている。
【０１００】
第１内容物７には、カートリッジの軸を回転させ、カートリッジからプリント用紙を送り出す、図示しないプリント用紙送出機構を含む。カートリッジから送り出されたプリント用紙の先端が、プリント用紙搬送機構５４（例えば、キャプスタンローラとピンチローラとの間）に到達すると、プリント用紙は、プリント用紙搬送機構５４により搬送されるとともに、プリントヘッド５６により撮像画像と文字とが印画される。これにより、筐体１ａの天面（上面）に設けられた排出口から、画像と文字とが組み合わされた長尺の組み写真の写真プリントが得られる。
【０１０１】
なお、この実施形態のプリンタ部は、ＴＡプリンタであるが、これに限らず、他の感熱プリンタやインクジェットプリンタ等の他の形式のプリンタでもよい。
【０１０２】
［第１の実施形態］
次に、本発明の第１の実施形態に関して説明する。図６は、本実施形態の機能ブロック図を示す図であり、図５で既に説明をしたブロック図には同じ番号を付す。
【０１０３】
本実施形態は、撮像部２、マイク３、文字生成部２３０、記憶部３０３、プリント制御部２３２、およびプリント部３０１から構成される。
【０１０４】
撮像部２は被写体の撮像画像を取得する。撮像部２は、シャッタレリーズスイッチ４からの指示に基づいて撮像画像を取得する。また、撮像部２は、ライブビュー画像をプリンタ付き撮像装置１の電源がＯＮになっている状態では常に撮像しつづける。すなわち撮像部２は、撮影準備状態ではライブビュー画像を取得し続け、シャッタレリーズスイッチ４の指示に応じて撮像画像を取得する。
【０１０５】
マイク３は、被写体が発する音または被写体の周囲の音を取得する。マイク３は、プリンタ付き撮像装置１の電源がＯＮになっている状態では常に集音している。またマイク３は、シャッタレリーズスイッチ４からの指示に基づいて集音をしてもよい。マイク３で集音された音に関するデータは、文字生成部２３０に入力される。
【０１０６】
文字生成部２３０は、被写体が発する音または被写体の周囲の音に基づいて、文字を生成する。具体的には文字生成部２３０は、マイク３から入力される音に関するデータを解析して、その解析した音に関連する文字を生成する。文字生成部２３０の文字生成は、公知の技術により行われる。例えば文字生成部２３０は、データメモリ２４４に、音とその音に対応する文字とを関連付けて記憶させたテーブルデータを記憶させておき、テーブルデータに基づいて、文字を生成してもよい。また例えば文字生成部２３０は、音声を文字に変換する公知のプログラムに基づいて、文字を生成してもよい。さらに、文字生成部２３０は、公知のＡＩ（Artificial intelligence）技術により、入力された音に関するデータから文字を生成してもよい。さらに、文字生成部２３０は、多様な色の文字を生成することができる。例えば文字生成部２３０は、「黒」「赤」「緑」および「青」等多様な色の文字を生成することができる。
【０１０７】
記憶部３０３は例えば内部メモリ２２２で実現される。記憶部３０３は、撮像部２で撮像された撮像画像および文字生成部２３０で生成された文字を記憶する。記憶部３０３には、撮影画像と文字とを組み写真の形態で記憶してもよいし、撮影画像と文字とを別々に記憶させてもよい。プリンタ付き撮像装置１は、撮像画像を取得する毎に、組み写真の印刷を行ってもよいし、一旦記憶部３０３に組み写真を記憶させておいて、後で印刷を行ってもよい。
【０１０８】
プリント制御部２３２は、撮像画像と文字との組み写真の画像を生成し、プリント部３０１に組み写真を印刷させる。ここで本願における組み写真とは、画像と画像に関連する文字により構成されたものをいう。組み写真は、画像および文字の表現形態が採用されることにより、例えば映画のワンシーンのような一場面を表現することができ、組み写真を連続させることにより、組み写真を見た人にストーリを想起させることができる。
【０１０９】
プリント部３０１は第２内容物８において実現される。具体的には、プリント部３０１は、プリント用紙搬送機構５４、プリント用紙搬送機構駆動部２３４、プリントヘッド５６、およびプリントヘッド駆動部２３６で実現される。プリント部３０１は、プリント制御部２３２の制御に基づいて、組み写真を印刷する。
【０１１０】
図７は、プリンタ付き撮像装置１のプリント部３０１で組み写真が印刷された印刷物の例を示す図である。尚、図７は、文字言語が日本語の場合に関して示している。
【０１１１】
図７に示された印刷物４０１は、複数の組み写真で構成されており、５枚の組み写真（４０３，４０５，４０７，４０９，４１１）で構成されている。各組み写真は、画像領域Ｐと文字領域Ｗから構成されており、文字領域Ｗに印刷される文字は、画像領域Ｐに印刷される撮影画像と関連している。さらに、組み写真が図７に示すように連続する場合には、各組み写真がそれぞれ関連していると、印刷物４０１により、あるストーリを見た人に想起させることができる。
【０１１２】
組み写真４０３は、１ページ目に画像領域Ｐが設けられおり、２ページ目に文字領域Ｗが設けられている。すなわち、プリント制御部２３２は、プリント部３０１に撮像画像と文字とをそれぞれ別ページに印刷させる。
【０１１３】
また印刷物４０１は蛇腹状に折られている。すなわち、印刷物４０１は、線Ｖでは谷折りされ、線Ｍでは山折りされて蛇腹状に形成されている。印刷物４０１が蛇腹状に形成されていることにより、組み写真の境界または画像領域Ｐと文字領域Ｗの境界が明確となり、印刷物４０１を見る人に対して、１ページ毎のストーリ展開を誘起させることができる。
【０１１４】
なお、本願発明のプリンタ付き撮像装置１で印刷される印刷物４０１は、単数の組み写真で構成されるものを含む。
【０１１５】
図８は、プリンタ付き撮像装置１のプリント部３０１で印刷される印刷物４０１の他の例を示す図である。尚、図８は、文字言語が日本語の場合に関して示している。
【０１１６】
図８に示された印刷物４０１は、組み写真４１３、組み写真４１５、組み写真４１７、組み写真４１９、組み写真４２１、組み写真４２３、組み写真４２５、組み写真４２７、組み写真４２９および組み写真４３１の１０枚の組み写真で構成されている。組み写真４１３から組み写真４３１は、同じページに画像領域Ｐおよび文字領域Ｗが設けられており、プリント制御部２３２は、プリント部３０１に撮像画像と文字とを同じページに印刷させる。なお、印刷物４０１は、蛇腹状に形成されており、線Ｖで谷おり線Ｍで山折りされている。
【０１１７】
図９は、プリンタ付き撮像装置１の操作方法を示すフローチャートである。
【０１１８】
先ずプリンタ付き撮像装置１は、撮像部２により被写体の撮像画像を取得する（ステップＳ１０：撮像ステップ）。次に、マイク３により被写体が発する音または被写体の周囲の音に基づいて文字が生成される（ステップＳ１１：文字生成ステップ）。そして、撮像画像と文字との組み写真が印刷される（ステップＳ１２：プリント制御ステップ）。
【０１１９】
上記実施形態において、各種の処理を実行する処理部（processing unit）のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【０１２０】
１つの処理部は、これら各種のプロセッサのうちの１つで構成されていてもよいし、同種または異種の２つ以上のプロセッサ（例えば、複数のＦＰＧＡ、あるいはＣＰＵとＦＰＧＡの組み合わせ）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組合せで１つのプロセッサを構成し、このプロセッサが複数の処理部として機能する形態がある。第２に、システムオンチップ（System On Chip：ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【０１２１】
さらに、これらの各種のプロセッサのハードウェア的な構造は、より具体的には、半導体素子などの回路素子を組み合わせた電気回路（circuitry）である。
【０１２２】
上述の各構成および機能は、任意のハードウェア、ソフトウェア、或いは両者の組み合わせによって適宜実現可能である。例えば、上述の処理ステップ（処理手順）をコンピュータに実行させるプログラム、そのようなプログラムを記録したコンピュータ読み取り可能な記録媒体（非一時的記録媒体）、或いはそのようなプログラムをインストール可能なコンピュータに対しても本発明を適用することが可能である。
【０１２３】
［第２の実施形態］
次に、本発明の第２の実施形態に関して説明する。図１０は、本実施形態のプリンタ付き撮像装置１の機能ブロック図を示す図である。なお、図６と同様の箇所は、同じ符号を付し説明は省略する。
【０１２４】
本実施形態のプリンタ付き撮像装置１は、撮像部２、マイク３、文字生成部２３０、記憶部３０３、プリント制御部２３２、プリント部３０１、画像解析部３０５、表示制御部２４６、表示部２２、および印刷文字選択部３０７から構成される。
【０１２５】
画像解析部３０５は、撮像部２で取得された撮像画像の画像解析を行う。画像解析部３０５は、公知の技術により、撮像画像の解析を行う。また画像解析部３０５は、撮像部２が取得するライブビュー画像の画像解析も同様に行う。
【０１２６】
本実施形態の文字生成部２３０は、画像解析部３０５の画像解析の結果に基づいて、文字を生成する。例えば文字生成部２３０は、画像解析の結果で撮影画像に写っている被写体に関連する文字を生成する。また文字生成部２３０は、撮像部２で取得されるライブビュー画像が画像解析部３０５で解析されることにより得られる画像解析の結果に基づいて、文字生成部２３０は文字を生成してもよい。
【０１２７】
また文字生成部２３０は、撮像画像の画像解析結果に基づいて、生成する文字の文字サイズまたは文字の種類を決定する。ここで、文字のサイズとは文字の大きさを意味し、例えば画像解析の結果、主要被写体に関連して生成される文字は大きなサイズで生成する。また文字の種類とは、明朝体やゴシック体などの文字の形の種類をいい、画像解析の結果に基づいて、文字の種類を変えてもよい。
【０１２８】
表示制御部２４６は、文字生成部２３０で生成された文字を表示部２２に表示させる。表示制御部２４６は、文字生成部２３０で生成された文字により構成されるアニメーションを生成し表示部２２に表示させてもよい。ここで、アニメーションとは、文字が表示部上で移動したり、文字が変形したり動きを伴った表示形態のことである。
【０１２９】
表示部２２は、プリンタ付き撮像装置１の筐体１ａに設けられる。表示部２２は前述したように複数の表示部２２ａ，２２ｂ，２２ｃから構成されており、各表示部（２２ａ，２２ｂ，２２ｃ）に文字生成部２３０で生成された文字またはアニメーションが表示される。そして、プリント制御部２３２は、表示部２２に表示された文字と撮像画像との組み写真を印刷する。表示部２２は筐体１ａの前面に設けられており、プリンタ付き撮像装置１に前面に接したユーザは、筐体１ａに文字が表示されているように見える。これにより、プリンタ付き撮像装置１の意匠性を向上させることができる。
【０１３０】
印刷文字選択部３０７は、表示部２２に表示される文字のうちプリント部３０１で印刷される文字を選択する。印刷文字選択部３０７は、例えばシステムコントローラ２４０で実現される。印刷文字選択部３０７で選択された文字は、プリント部３０１により印刷される。
【０１３１】
印刷文字選択部３０７は、自動でプリント部３０１で印刷される文字を選択する。例えば印刷文字選択部３０７は、文字生成部２３０が文字を生成した際の情報に基づいて印刷される文字の選択を行う。具体的には、文字生成部２３０により、予め設定された優先順位と文字生成部２３０からの情報に基づいて文字が選択される。また、印刷文字選択部３０７は、画像解析部３０５の解析結果に基づいて、文字の選択を行ってもよい。例えば、印刷文字選択部３０７は、画像解析の結果、主要被写体に最も関連する文字を選択する。
【０１３２】
［筐体への表示および印刷形態］
次に、本実施形態における文字生成部２３０により生成された文字の表示の一形態、および表示された文字の印刷に関して説明する。
【０１３３】
図１１は、表示部２２に表示され文字が印刷される動作を示すフローチャートである。また、図１２から図１５は、表示部２２での文字の表示およびプリント部３０１でのプリント動作の一形態を示す図である。尚、図１２から図１５は、文字言語が日本語の場合に関して示している。
【０１３４】
先ず、プリンタ付き撮像装置１の電源がＯＮの状態になる（ステップＳ２０）。これにより、マイク３が起動し、マイク３による集音が開始する。マイク３は電源ＯＮの状態の時には、常に集音を行う。また、プリンタ付き撮像装置１の電源がＯＮになると、撮像部２が起動し、ライブビュー画像が取得される。撮像部２は電源ＯＮの状態の時には、常にライブビュー画像が取得される。
【０１３５】
次に文字生成部２３０により、集音された集音結果に基づいて文字が生成される（ステップＳ２１）、また文字生成部２３０により、取得されたライブビュー画像に基づいて、文字が生成される（ステップＳ２１）。そして、表示制御部２４６により、生成された文字のアニメーションが作成される（ステップＳ２２）。その後、表示制御部２４６により、表示部２２に生成されたアニメーションが表示される（ステップＳ２３）。
【０１３６】
図１２は、表示制御部２４６により表示部２２に表示された文字の例を示す図である。表示部２２に表示された文字は、例えば、マイク３により「あ」という人の音声を拾った場合には、文字生成部２３０により「あ」という文字が生成される。生成された文字「あ」は、図中のＸ軸の＋方向に移動するアニメーションによって表示部２２に表示される。
【０１３７】
また例えば、ライブビュー画像を解析することにより雨を検出した場合には「雨」という文字が生成され、同様にＸ軸の「＋」方向に移動するアニメーションが生成される。
【０１３８】
さらに、ライブビュー画像を解析することにより撮影画像に光が差込んでいる場合には、「キラキラ」という文字が生成され、Ｘ軸の「−」方向に移動するアニメーションが生成される。
【０１３９】
次に、撮像部２により撮像画像が取得される。具体的には、ユーザによりシャッタレリーズスイッチ４が押されて、撮像画像が取得される（ステップＳ２４）。そして、プリント部３０１により撮像画像が印刷される（図１１）。
【０１４０】
図１３は、撮像画像が印刷される様子を示す図である。取得された撮像画像は、プリント制御部２３２によりプリント部３０１により印刷されて印刷物４０１が排出される。撮像画像が印刷されている場合には、表示部２２にアニメーションは表示されて続けている。すなわち、「あ」および「雨」は、Ｘ軸の「＋」方向に流れるように移動しており、「キラキラ」はＸ軸の「−」方向に流れるように移動している。
【０１４１】
次に、印刷文字選択部３０７により、印刷する文字が自動で選択される（ステップＳ２５）。選択された文字が印刷物４０１の排出方向に向かって移動する（ステップＳ２６）。すなわち、表示制御部２４６は、プリント部３０１のプリント動作に応じて、表示部２２に表示させる文字を移動させるアニメーションを表示させる。例えば、表示制御部２４６は、プリント部３０１から排出される印刷物４０１の排出方向に、文字を移動させ、文字の印刷物４０１の排出に応じて消滅させる（図１１）。
【０１４２】
図１４は、表示部２２に表示された文字のうち、印刷文字選択部３０７により選択された文字が排出方向に向かって移動するアニメーションに関して示す図である。このように、選択された文字は図中のＹ軸の「＋」方向に向かって移動する。すなわち、表示制御部２４６は、文字をプリント部３０１の印刷物４０１の排出方向と垂直な方向に移動させ、印刷文字選択部３０７で選択された文字のみ、印刷物４０１の排出方向に移動させる。具体的には、撮影画像の画像解析の結果に基づいて、撮影画像の主要被写体に関連する文字が選択されて印刷されている。
【０１４３】
次に、選択された文字が印刷される（ステップＳ２７）。そして、印刷された文字は、印刷されるのと同期して表示部２２から消滅する（ステップＳ２８）（図１１）。
【０１４４】
図１５は、選択された文字（印刷物４０１の排出方向に移動してきた文字）が印刷され、印刷と同期して表示された文字が表示部２２から消滅する様子を示す図である。また、選択されなかった文字は、表示部２２に表示されており、移動を続けている。
【０１４５】
次に、表示されたが印刷されなかった文字も消滅し（ステップＳ２９）、画像と文字とで構成される組み写真のプリントが行われる（ステップＳ３０）（図１１）。
【０１４６】
図１６は、１枚の組み写真の印刷が完了して、表示部２２に表示された文字も消滅することを示す図である。例えば、プリンタ付き撮像装置１が１つの組み写真の印刷を行う場合には、組み写真の印刷が完了するのに応じて表示部２２に表示されていた文字が消滅する。尚、図１６は、文字言語が日本語の場合に関して示している。
【０１４７】
図１７は、連続した複数の組み写真のプリントが排出される様子を示す図である。図１７に示された場合には、１枚目および２枚目の組み写真の印刷が完了しており、３枚目の組み写真の文字の領域の印刷が行われている。なお、印刷物４０１の蛇腹状の成形は、印刷物４０１の排出時にプリンタ付き撮像装置１に設けられる折り成形機構（図示せず）により行われてもよいし、折り目が付いていない印刷物４０１が排出された後に、蛇腹状に成形されてもよい。尚、図１７は、文字言語が日本語の場合に関して示している。
【０１４８】
［プリント用紙の搬送の例］
次に、プリント部３０１で印刷される場合のプリント用紙の搬送の一形態に関して説明する。図１８から図２０は、プリント用紙が搬送される様子を示した図である。
【０１４９】
図１８は、プリント用紙４００の搬送の初期段階を示している図である。プリント用紙４００は、ロール状に巻回してカートリッジに収納されて、第１内容物７に格納されている。格納されたプリント用紙４００は、カートリッジの軸を回転させることにより、カートリッジより送り出される。プリンタ付き撮像装置１の筐体１ａの両側にはプリント用紙４００のガイド部（図示せず）が設けられており、送り出されたプリント用紙４００はガイド部をつたって第２内容物８に向かって搬送される。
【０１５０】
図１９は、プリント用紙４００の搬送の中期段階を示している。カートリッジの軸により、ロール状のプリント用紙４００がガイド部に沿って押し上げられている。前述したように、筐体１ａは透明の樹脂でできているために、プリント用紙４００が搬送されるのが筐体１ａを透けて観察される。これにより、プリンタ付き撮像装置１の意匠性の向上が期待できる。
【０１５１】
図２０は、プリント用紙４００の搬送の終期段階を示している。カートリッジの軸により、ロール状のプリント用紙４００がガイド部に沿って搬送されて、第２内容物８へ到達する。第２内容物８に到達したプリント用紙４００は、第２内容物８のプリント用紙搬送機構５４により搬送される。プリント用紙搬送機構５４にプリント用紙４００が到達すると、プリント用紙搬送機構５４が搬送の速度を制御する。
【０１５２】
プリント部３０１によるプリントが終了した場合には、例えばカートリッジの軸がプリント用紙４００を送り出した場合とは逆回転をして、プリント用紙４００をロール状に巻き取る。また、プリント部３０１のプリントが終了した場合には、プリント用紙４００は、プリント用紙搬送機構５４に到達した状態で、次の印刷を待機してもよい。
【０１５３】
また、前述したように言語選択部により特定の文字言語（例えば、英語）が選択されると、文字生成部２３０は、選択された英語の音声言語から英語の文字言語を生成することができる。表示制御部２４６は、生成された英語の文字言語に基づいて、図２１に示すように表示部２２に英語の文字を表示させる。更に、プリント制御部２３２は、英語の文字言語が生成される場合には、図２２に示すように画像と英語の文字とが組み合わされた組み写真をプリント部３０１に印画させる。
【０１５４】
以上で本発明の例に関して説明してきたが、本発明は上述した実施の形態に限定されず、本発明の精神を逸脱しない範囲で種々の変形が可能であることは言うまでもない。
【符号の説明】
【０１５５】
１      プリンタ付き撮像装置
１ａ    筐体
１ｂ    凸部
２      撮像部
２ａ    配線
３      マイク
４      シャッタレリーズスイッチ
４ａ    配線
５      ファインダ枠
６      フラッシュ発光部
６ａ    配線
７      第１内容物
８      第２内容物
１２    撮影レンズ
１２ａ  絞り
１２ｂ  シャッタ
２２    表示部
４２    イメージセンサ
５４    プリント用紙搬送機構
５６    プリントヘッド
２１２  撮影レンズ駆動部
２１４  イメージセンサ駆動部
２１６  アナログ信号処理部
２１８  画像データ入力部
２２０  デジタル信号処理部
２２２  内部メモリ
２３０  文字生成部
２３２  プリント制御部
２３４  プリント用紙搬送機構駆動部
２３６  プリントヘッド駆動部
２４０  システムコントローラ
２４２  ワークメモリ
２４４  データメモリ
２４６  表示制御部
２４７  マイク駆動部
２４８  操作部
２４９  フラッシュ制御部
２５０  電源部
３０１  プリント部
３０３  記憶部
３０５  画像解析部
３０７  印刷文字選択部
４００  プリント用紙
４０１  印刷物
ステップＳ１０−Ｓ１２  プリンタ付き撮像装置の操作工程
ステップＳ２０−Ｓ３０  表示された文字の印刷工程
【図１】
2018235312.tif 000003
【図２】
2018235312.tif 000004
【図３】
2018235312.tif 000005
【図４】
2018235312.tif 000006
【図５】
2018235312.tif 000007
【図６】
2018235312.tif 000008
【図７】
2018235312.tif 000009
【図８】
2018235312.tif 000010
【図９】
2018235312.tif 000011
【図１０】
2018235312.tif 000012
【図１１】
2018235312.tif 000013
【図１２】
2018235312.tif 000014
【図１３】
2018235312.tif 000015
【図１４】
2018235312.tif 000016
【図１５】
2018235312.tif 000017
【図１６】
2018235312.tif 000018
【図１７】
2018235312.tif 000019
【図１８】
2018235312.tif 000020
【図１９】
2018235312.tif 000021
【図２０】
2018235312.tif 000022
【図２１】
2018235312.tif 000023
【図２２】
2018235312.tif 000024
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
被写体の撮像画像を取得する撮像部と、
前記被写体が発する音または前記被写体の周囲の音に基づいて、文字を生成する文字生成部と、
前記撮像部で取得される前記撮像画像と前記文字生成部で生成された前記文字とを印刷するプリント部であって、前記撮像画像と前記文字との組み写真を印刷するプリント部と、
前記プリント部に前記組み写真の印刷を行わせるプリント制御部と、
を備え、
前記プリント制御部は、前記プリント部に前記撮像画像と前記文字とをそれぞれ別ページに印刷させる、プリンタ付き撮像装置。
【請求項２】
前記プリント制御部は、前記プリント部に複数の前記組み写真を印刷させる請求項１に記載のプリンタ付き撮像装置。
【請求項３】
前記被写体が発する前記音または前記被写体の周囲の前記音を取得する集音部を備え、
前記文字生成部は、前記集音部が取得した前記音に基づいて、前記文字を生成する請求項１又は２に記載のプリンタ付き撮像装置。
【請求項４】
前記撮像部で取得された前記撮像画像の画像解析を行う画像解析部を備え、
前記文字生成部は、前記画像解析部の前記画像解析の結果に基づいて、前記文字を生成する請求項１から３のいずれか１項に記載のプリンタ付き撮像装置。
【請求項５】
前記文字生成部は、前記画像解析部の画像解析結果に基づいて、生成する前記文字の文字サイズまたは文字の種類を決定して前記文字を生成する請求項４に記載のプリンタ付き撮像装置。
【請求項６】
前記撮像部で撮像された前記撮像画像および前記文字生成部で生成された前記文字を記憶する記憶部を備え、
前記プリント制御部は、前記記憶部に記憶された前記撮像画像および前記文字を前記プリント部に印刷を行わせる請求項１から５のいずれか１項に記載のプリンタ付き撮像装置。
【請求項７】
前記プリンタ付き撮像装置の筐体に設けられる表示部と、
前記文字生成部で生成された前記文字を前記表示部に表示させる表示制御部と、を備え、
前記プリント制御部は、前記プリント部に前記表示部に表示された前記文字と前記撮像画像との前記組み写真を印刷させる請求項１から６のいずれか１項に記載のプリンタ付き撮像装置。
【請求項８】
前記表示制御部は、前記文字生成部で生成された前記文字により構成されるアニメーションを前記表示部に表示させる請求項７に記載のプリンタ付き撮像装置。
【請求項９】
前記表示制御部は、前記プリント部のプリント動作に応じて、前記表示部に表示させる前記文字を移動させる前記アニメーションを表示させる請求項８に記載のプリンタ付き撮像装置。
【請求項１０】
前記表示制御部は、前記プリント部から排出される印刷物の排出方向に、前記文字を移動させ、前記文字の前記印刷物の排出に応じて消滅させる請求項９に記載のプリンタ付き撮像装置。
【請求項１１】
前記文字生成部で生成される前記文字のうち前記プリント部で印刷される前記文字を選択する印刷文字選択部を備え、
前記プリント部は、前記印刷文字選択部で前記選択された前記文字を印刷する請求項７から１０のいずれか１項に記載のプリンタ付き撮像装置。
【請求項１２】
前記表示制御部は、前記文字を前記プリント部の印刷物の排出方向と垂直な方向に移動させ、前記印刷文字選択部で前記選択された前記文字のみ、前記印刷物の排出方向に移動させる請求項１１に記載のプリンタ付き撮像装置。
【請求項１３】
前記表示部は、少なくとも前記筐体の前面に設けられている請求項７から１２のいずれか１項に記載のプリンタ付き撮像装置。
【請求項１４】
前記撮像部は、前記プリント部が印刷動作を行っている場合には、前記撮像画像の取得を停止する請求項１から１３のいずれか１項に記載のプリンタ付き撮像装置。
【請求項１５】
被写体の撮像画像を取得する撮像ステップと、
前記被写体が発する音または前記被写体の周囲の音に基づいて、文字を生成する文字生成ステップと、
前記撮像ステップで取得される前記撮像画像と前記文字生成ステップで生成された前記文字とを印刷するプリント部であって、前記撮像画像と前記文字との組み写真を印刷するプリント部に前記組み写真の印刷を行わせるプリント制御ステップであって、前記プリント部に前記撮像画像と前記文字とをそれぞれ別ページに印刷させることを含むプリント制御ステップと、
を含むプリンタ付き撮像装置の操作方法。
【請求項１６】
被写体の撮像画像を取得する撮像ステップと、
前記被写体が発する音または前記被写体の周囲の音に基づいて、文字を生成する文字生成ステップと、
前記撮像ステップで取得される前記撮像画像と前記文字生成ステップで生成された前記文字とを印刷するプリント部であって、前記撮像画像と前記文字との組み写真を印刷するプリント部に前記組み写真の印刷を行わせるプリント制御ステップであって、前記プリント部に前記撮像画像と前記文字とをそれぞれ別ページに印刷させることを含むプリント制御ステップと、
をプリンタ付き撮像装置のコンピュータに実行させるプログラム。
【請求項１７】
被写体の撮像画像を取得する撮像ステップと、
前記被写体が発する音または前記被写体の周囲の音に基づいて、文字を生成する文字生成ステップと、
前記撮像ステップで取得される前記撮像画像と前記文字生成ステップで生成された前記文字とを印刷するプリント部であって、前記撮像画像と前記文字との組み写真を印刷するプリント部に前記組み写真の印刷を行わせるプリント制御ステップであって、前記プリント部に前記撮像画像と前記文字とをそれぞれ別ページに印刷させることを含むプリント制御ステップと、
をプリンタ付き撮像装置のコンピュータに実行させるプログラムが格納されたコンピュータ読取可能な非一時的記録媒体。
【手続補正２】
【補正対象書類名】明細書
【補正対象項目名】００２４
【補正方法】変更
【補正の内容】
【００２４】
好ましくは、文字生成部は、画像解析部の画像解析結果に基づいて、生成する文字の文字サイズまたは文字の種類を決定して文字を生成する。
【手続補正３】
【補正対象書類名】明細書
【補正対象項目名】０１１８
【補正方法】変更
【補正の内容】
【０１１８】
先ずプリンタ付き撮像装置１は、撮像部２により被写体の撮像画像を取得する（ステップＳ１０：撮像ステップ）。次に、マイク３により取得された被写体が発する音または被写体の周囲の音に基づいて文字が生成される（ステップＳ１１：文字生成ステップ）。そして、撮像画像と文字との組み写真が印刷される（ステップＳ１２：プリント制御ステップ）。
【手続補正４】
【補正対象書類名】明細書
【補正対象項目名】０１２９
【補正方法】変更
【補正の内容】
【０１２９】
表示部２２は、プリンタ付き撮像装置１の筐体１ａに設けられる。表示部２２は前述したように複数の表示部２２ａ，２２ｂ，２２ｃから構成されており、各表示部（２２ａ，２２ｂ，２２ｃ）に文字生成部２３０で生成された文字またはアニメーションが表示される。そして、プリント制御部２３２は、表示部２２に表示された文字と撮像画像との組み写真を印刷する。表示部２２は筐体１ａの前面に設けられており、プリンタ付き撮像装置１の前面に接したユーザは、筐体１ａに文字が表示されているように見える。これにより、プリンタ付き撮像装置１の意匠性を向上させることができる。
【手続補正５】
【補正対象書類名】明細書
【補正対象項目名】０１３３
【補正方法】変更
【補正の内容】
【０１３３】
図１１は、表示部２２に表示された文字が印刷される動作を示すフローチャートである。また、図１２から図１５は、表示部２２での文字の表示およびプリント部３０１でのプリント動作の一形態を示す図である。尚、図１２から図１５は、文字言語が日本語の場合に関して示している。
【国際調査報告】
2018235312.tif 000025
2018235312.tif 000026
2018235312.tif 000027
2018235312.tif 000028
2018235312.tif 000029
2018235312.tif 000030